(57)【要約】  人又は動物の体のためのトレーニング装置は、移動可能な重心を有するバランスボディ（４０）と、バランスボディを所持できる保持手段とを備える。保持手段は、体の胴に接続するための接続手段（１１，１２，１３）と、バランスボディを少なくとも部分的に受入れて固定する凹部（３５）とを有する装着ベルト（１０，２０，３０）を備える。特に、装着ベルトは、使用者の背中に取り付けるための取り付け手段を有する第１部分（１０）と、第１部分に離脱可能に接続される第２部分（２０，３０）とを備える。第１部分と第２部分とは互いに隣接し、両側に開放されてバランスボディ（４０）が実質的に嵌合する方式で少なくとも部分的に受入れられる凹部を形成する。
2019534065.tif 000002
【特許請求の範囲】
【請求項１】
移動可能な重心を有し少なくとも実質的に形状を保持するバランスボディと、バランスボディを保持することが可能な保持手段とを備える、人又は動物の体用のトレーニング装置であって、保持手段は、体の胴に接続する接続手段と、バランスボディが少なくとも部分的に受入れられて固定される凹部とを有する装着ベルトを備えることを特徴とするトレーニング装置。
【請求項２】
バランスボディは凹部内で装着ベルトに離脱可能に接続されることを特徴とする請求項１に記載のトレーニング装置。
【請求項３】
装着ベルトは使用者の背中に取り付けるための取り付け手段を有する第１部分と、第１部分に離脱可能に接続される第２部分とを備え、第１部分と第２部分とは互いに隣接し、両側が開放してバランスボディが実質的に嵌合する方式で少なくとも部分的に受入れられる凹部を形成することを特徴とする請求項２に記載のトレーニング装置。
【請求項４】
第２部分は、基部と、バランスボディの外形に少なくとも実質的に一致するカップ形状先端部とを有する形状保持フレームとを備え、基部を有するフレームは装着ベルトの第１部分から延びる挿入凹部内に突入し、かつ、そこから離脱可能であることを特徴とする請求項３に記載のトレーニング装置。
【請求項５】
フレームは、少なくとも凹部から離れた側にフレームカバーを備えることを特徴とする請求項４に記載のトレーニング装置。
【請求項６】
フレームカバーは、シェル部分および／又は可撓性スリーブカバーを備え、フレームの外形に従ってフレーム上にパチンと留まることを特徴とする請求項５に記載のトレーニング装置。
【請求項７】
フレームカバーはフレームの先端部分のカップ内にバランスボディを離脱可能に固定するための固定手段を備えることを特徴とする請求項５又は６に記載のトレーニング装置。
【請求項８】
バランスボディは実質的に円筒形で円筒軸を備え、バランスボディは円筒軸が装着ベルトの長軸を横切るように向く方位に装着ベルトに接続され、バランスボディは装着ベルトの外へ両側に横向きに突出することを特徴とする請求項１〜７のいずれか１つに記載のトレーニング装置。
【請求項９】
バランスボディは、水を含む液体で部分的に充填可能な膨張体からなることを特徴とする請求項１〜８のいずれか１つに記載のトレーニング装置。
【請求項１０】
体の胴に接続する固定手段と、バランスボディを受入れて固定する凹部を備えた、請求項１〜９のいずれか１つに記載のトレーニング装置に適用されるタイプの装着ベルト。
【請求項１１】
液体を充填可能で実質的に一定の形状まで膨張可能であり、請求項１０の装着ベルトの凹部に離脱可能に固定する固定手段を有するボディを備えたバランスボディ。
【発明の詳細な説明】
【技術分野】
【０００１】
この発明は、移動可能な重心を有し少なくとも実質的に形状を保持するバランスボディ（balance body）とバランスボディを保持可能な保持手段とを備えた、人又は動物の体用のトレーニング装置に関する。
【０００２】
そのような装置は、ブランド名、アクアボールおよびアクアバッグで、商業的に利用可能である。前者はほぼ球形の製品であり、他方、アクアバッグはほぼ円筒形のバランスボディを備える。アクアバッグは、激しいパフォーマンスを生み出し、機能的な強度を増大し、そして身につける能力を最大限に活用するために職業的な運動家によって使用される。物理療法士はアクアバッグを使用して修復過程の期間における変化や干渉を増大させ、それによって脆弱な箇所を迅速かつ容易に明らかにする。アクアボールは、ケトルベル、医療用ボール、トルネードボール又はダンベルとして使用できるので、急速運動性能と爆発力に対するバランスから任意のものを改良するために利用できる。職業的運動家は、これらをトレーニングに使用して彼等のスポーツの特定のパフォーマンスを改善する。物理療法士は、それらを用いて、より効果的な修復を進める。
【０００３】
両方の場合において、バランスボディは、水で部分的に充填されるプラスチックの膨張性ボディによって形成される。ここで、バランスボディは、そのボディの中でその液体内容物が自由に動くので、移動可能な重心を有する。アクアバッグとアクアボールの両者は、装置を手に取って運ぶ一式のハンドルの形式の保持手段を備える。効率よく動かすためには、バランスボディは所望の瞬間に適正な安定性を有する必要がある。モータシステムの快適領域は、環境の一定の変化に対してバランスボディを作成することによって、かつ、課題の大きな変化と複雑さを創出することによって広げることができる。これによって、特定な状況における効果的な行動の可能性が増大する。
【０００４】
序文で述べたタイプの装置は、この目的に対して、優れた援助を与えるが、それは、バランスボディの重心が、使用者の動的運動の間の連続的な動きの中にあり、体に対して変化可能で複雑な負荷を与えるからである。両方の製品は、この点において、例えば、スポーツトレーニング、物理療法治療、およびリハビリテーションプログラムにおける効果的なサポートとしてそれら自体を実際に証明してきた。
【０００５】
それにもかかわらず、上述した既知の両装置は、比較的重いバランスボディが常に保持されなければならないので、使用者をその動きと行動の自由度において制限するという欠点を有する。この発明は、この欠点が少なくとも非常に広い範囲まで除去されるトレーニング装置を提供することを目的とするものである。
【０００６】
上述の目的を達成するために、序文で述べたタイプのトレーニング装置はこの発明による特徴を有するが、その発明においては、保持手段が、体の胴に接続する接続手段と、バランスボディが少なくとも部分的に受入れられて固定される凹部とを有する装着ベルトを備える。従って、そのトレーニング装置は、使用者が手を使わずに使用でき、実施できるトレーニングの範囲において、装置によって最早制限されないように、使用者の胴に接続できる装着ベルトを備える。さらに、バランスボディは使用者の体との統一体を形成し、それによって、より高い安定性が達成され、トレーニングが広い範囲までくり返し再生可能となる。
【０００７】
バランスボディは異なった形状とサイズで具体化でき、その重量もまた変えることができる。その選択は、使用者および／又は実行される運動に適合するであろう。そのバランスボディを比較的容易に、かつ、迅速に交換できるようにするために、この発明によるトレーニング装置の好ましい実施形態は、バランスボディが凹部において装着ベルトに離脱可能に接続されるという特徴を有する。従ってバランスボディは装着ベルトから取りはずし可能であり、その装着ベルトは使用者又は実行されるトレーニングの必要性に合う、より大きい、より小さい又は異なる形状のバランスボディ用に使用することができる。
【０００８】
この発明によるトレーニング装置のさらに好ましい実施形態は、この点において、装着ベルトが使用者の背中に取り付けるための取り付け手段を有する第１部分と、第１部分に離脱可能に接続される第２部分とを備え、第１部分と第２部分とが互いに隣接して両側が開いた凹部を形成し、その凹部にバランスボディが実質的に嵌合する方式で少なくとも部分的に受入れられるという特徴を有する。従って装着ベルトは、バランスボディをその間に囲い込む２つの互いに分離可能な部分を実質的に備える。バランスボディを除去したり、時には交換するために、第１部分から第２部分を取りはずしてバランスボディにアクセスするのに、それは十分である。
【０００９】
トレーニング装置の特定の実施形態は、第２部分が、基部と、バランスボディの外形に少なくともほぼ一致するカップ形成先端部とを有する形状保持フレームを備え、その基部を有するフレームが装着ベルトの第１部分から延びる挿入凹部に突入すると共にそこから離脱可能であるという、この発明による特徴を有する。その装着ベルトは、特にチューブ状フレームからなる剛体フレームに、剛性と安定性を与える。装着ベルトの他の部分、特に使用者の胴に接続される第１部分は、変形可能であり、使用者の身体構造にぴったりと適合する。フレームのカップは、使用されるバランスボディの寸法と形状に少なくともある程度まで適合し、所望によっては取り換え可能である。
【００１０】
フレームを保護するために、そして全体のより魅力的な外観のために、この発明によるトレーニング装置のさらに特定の実施形態は、フレームが、少なくとも凹部から離れた側においてフレームカバーを備えるという特徴を有する。そのカバーは、ここでは硬質のシェルからなることができ、時には柔軟なスリーブで覆われるか、可撓性スリーブからなることができる。この発明によるトレーニング装置のさらなる特定の実施形態は、この点において、フレームカバーがシェル部分および／又は可撓性のスリーブカバーを備え、フレームの外形に従ってフレームにパチンと嵌まるという特徴を有する。そのフレームカバーは、所望によって分離して清掃や交換ができるようにフレームから離脱可能であることが好ましい。
【００１１】
トレーニング装置のさらに好ましい実施形態は、フレームカバーがフレームの先端部のカップ内にバランスボディを離脱可能に固定する固定手段を備えるという、発明による特徴を有する。従って、バランスボディはフレームのカップ内に設置され、フレームカバーから延びる固定手段によってそこに固定されることが可能である。従って、バランスボディと、フレームとフレームカバーとを有する装着ベルトの第２部分とは、装着ベルトの第１部分に接続され一体化されて統合ユニットを形成することが可能な分離したアセンブリを形成する。
【００１２】
特に、横向きの安定範囲内で使用者を訓練又は修復するために、この発明によるトレーニング装置のさらに特定の実施形態は、バランスボディがほぼ円筒形で円筒軸を備え、その円筒軸が装着ベルトの縦軸を横切るように向く方位にバランスボディが装着ベルトに接続され、バランスボディが装着ベルトの外へ両側に横向きに突出するという特徴を有する。従って、バランスボディが細長い円筒形状は、装着ベルトの境界線又は使用者の体の外側まで、主に横方向に延びる。これによって、運動中に装置が横向きの衝撃を受けるとき、バランスボディの移動可能な重心に、比較的大きい横向きのスイングと偏向が与えられる。バランスボディの内容物の質量の慣性の結果として、使用者に受け入れられるべき比較的大きい遅延効果が得られる。しかしながら、使用者は常に手が自由であるので、動きの自由がさらに妨げられることがない。
【００１３】
使用しない時、又は運搬中に装置を小型化するという観点から、この発明によるトレーニング装置のさらに好ましい実施形態は、バランスボディが液体、特に水で部分的に充填可能な膨張ボディを備えるという特徴を有する。膨張可能なバランスボディは、例えば大気圧のもとで一定の形状まで膨張可能で水のような液体で部分的に充填できる可撓性ジャケットを備える。空の、収縮した状態では、バランスボディはほんの小さなサイズと軽い重量を有する。
【００１４】
この発明はまた、体の胴に接続する固定手段を備え、バランスボディを受入れて固定する凹部を備える、この発明によるトレーン具装置に適用されタイプの装着ベルトに関する。さらに、この発明は、液体で充填可能でほぼ一定の形まで膨張可能なボディを備え、装着ベルトの凹部に離脱可能に固定する固定手段を備えるバランスボディに関する。
【図面の簡単な説明】
【００１５】
この発明は、代表的な実施形態と添付図面に基づいて、以下にさらに説明される。図面において、
【図１】図１は、この発明によるトレーニング装置の代表的な実施形態の分解図である。
【図２】図２は、図１の装置のバランスボディの斜視図である。
【図３】図３は、図１の装置の正面図である。
【図４】図４は、図１の装置の裏面図である。
【図５】図５は、図１の装置の側面図である。
【図６】図６は、フレームカバーがないときの図５の側面図における図１の装置を示す。
【図７】図７は、フレームカバーがないときの図３の裏面図における図１の装置を示す。
【００１６】
図は概略的であり、すべて同じ縮尺で描かれていない。特にいくつかの寸法には、明確にするために、より大きい又はより小さい範囲まで誇張されているものがある。対応する部分は全体的に、図において同じ参照番号で示される。
【００１７】
図１はこの発明によるトレーニング装置の例の分解斜視図を示す。この装置は、液体で部分的に満たされる円筒ロール形状のバランスボディ４０を備える。そのようなバランスボディは、特定のトレーニングの目的と使用者が耐え得る負荷によって、種々のサイズと重さのものが選択される。従って、例えば、２０ｃｍの直径および各６５ｃｍと８５ｃｍの長さを有する小および中サイズの実施形態を選ぶことが可能である。これは、各１５ｋｇと２５ｋｇの最大負荷を生じる。さらに、２５ｃｍの直径と８５ｃｍの長さを有し４０ｋｇの最大負荷を生じる大きいバランスボディを選択することも可能である。すべての場合において、これは、空のときには簡単にコンパクトに片付けることができ、収納スペースをほとんど必要としない防水性で膨張可能なボディに関する。閉鎖可能な充填開口（図示しない）を介して、所望通りに或る量の水をその中に収容でき、バランスボディを図に示す一定の形状までバルブ（図示しない）を介して圧縮空気により膨張させるか、又は口により膨張させることができる。バランスボディの外側は、滑らかで、容易に洗浄可能で、耐久性のあるプラスチックコーティングにより形成されている。
【００１８】
完全に手を使わずにトレーニングできるという目的のために、トレーニング装置はまた、バランスボディ４０を保持できる保持手段を備える。この発明によれば、保持手段は、使用者の体の胴に装着される装着ベルト１０，２０から延びている。装着ベルト１０，２０は、この目的のために、この例では装着ベルトの第１部分１００から延びて使用者の胴に接続する、腰ストラップ１１と一組の肩ストラップ１２の形の接続手段を有する（図３と図４参照）。
【００１９】
装着ベルト１０，２０は使用者の背中に装着され、使用者の体にぴったりと順応できる。使用者の背中全体に力を有効に分散する目的で、装着ベルト１０の第１部分は、0.5−1.5mmのオーダーの特に、0.8と1.2mmの間の通常の厚さを有する適当なシート材料から形成された芯材１００を備える。この例では、プラスチックシート、特にポリプロピレンのシートが使用される。このシート１００は使用者の背中に対面する側が快適な発泡体領域１０１又は通常半ｃｍから数ｃｍの暑さの連続発泡体層で覆われる。好ましくは、水分（汗）の浸透を防ぐために閉じたセル構造を有するポリマー発泡体がここに使用される。適当な発泡材料は、例えばポリウレタンフォームであり、特に、使用者の自然の人体構造に合わせて或る持続期間にわたってそれ自体を形作ることができる形状記憶フォームである。この発泡体層１０１は使用者に（着用者の）快適さを与え、さらに、使用者に対面する側が３−Ｄメッシュ布地で覆われる。仕上げによって、芯材の見えない側に丈夫なコーデュラ織物１０２が接着又は積層される。装着ベルトの背面パネル、腰ストラップ１１および肩ストラップ１２は、従って発泡体層１０１、芯材１００および最上層１０２から１つの部品として形成される。
【００２０】
腰ストラップ１１が腰ストラップを使用者の腰に調整可能に固定する高速開放締付け具１４を有する調整可能閉鎖ストラップ１３を備える点で、装着ベルトはさらに融通性をもつ。肩ストラップは取り付けパッド１５、この例では、腰ストラップ１１の類似の取り付けパッドに対応して固定と調整ができるベルクロ（登録商標）パッド又は腰ストラップを備える（図３と４参照）。装置は従って、使用者の体に固定され手が自由になる装着ベルトの形の第１部分を備える。
【００２１】
装置はさらに、図２に斜視図でより詳細に示され、バランスボディ４０を保持するという主目的を有する第２部分２０を備える。装着ベルトのこの第２部分は、互いに強固に接続された２つの形状保持部品３１，３２から組立てられたフレーム３０を備える。フレーム３０の構成部品３１，３２のために互いにリベット止め又はネジ止めされたアルミニウムチューブフレーム部品が使用される。その代わりに、プラスチックチューブ、特にグラスファイバーやカーボンファイバーの部品が使用され、適当な構造の、又は単一部品から形成されたフレームの固体の芯材を有する部品を選択することも可能である。
【００２２】
フレーム３０の主目的は、バランスボディ４０を保持して装着ベルトに安定性と強度を与えることである。この目的のために、フレームは、バランスボディ４０の外形に少なくともほぼ合ったカップ（図６参照）を形成する先端部分３５を上側に備える。膨張したバランスボディ４０はさらに、フレームのカップによって作られた凹部２５の形状に順応できる。フレーム３０は凹部２５の基部に、バランスボディ４０が支持されるくさび３３を備える。さらに、バランスボディ４０はフレームのカバー２１から延びる一組のストラップ２２によってフレームのカップ３５に固定される。
【００２３】
このフレームカバー２１はこの例におけるように、形状保持シェル又はジャケット、あるいは例えば布地やプラスチックの可撓性スリーブを形成し、バランスボディから離れた側においてフレームを完全にカバーすることができる。ストラップ２２は調整可能で、しっかりと締め付けられてバランスボディをフレーム３０のカップ３５に十分に強固に固定することができる。フレームカバー２１は、フレームカバーが追加の取り付け手段なしにフレーム上にスナップアクションで留まり、その目的のために必要とされる追加の締め付け手段なしのフレーム上にしっかりと固定されるように、形状と寸法が合わされている。可撓性スリーブの場合には、弾力性の曲線ストラップが有利に使用され、フレームは同様にカバーされる。しかしながら、他の又は追加の接続手段、例えば、管状フレームとフレームカバーの両方に設置されるフックとループとのテープの形の貼り付けストリップを、所望であれば、フレームとフレームカバーとの間の接触面に設けることができる。そのような貼り付けストリップや他の分離可能な接続手段はまた、凹部２５の位置にフレームカバーの内側に有利に設けられ、バランスボディ４０の外側の相補的な貼り付けストリップ又は貼り付け手段に対応することができる。
【００２４】
フレーム３０はまた、その基部において挿入部分を形成し、その挿入部分は装着ベルトの第１部分から延びる挿入凹部１８に受入れられる。これはバランスボディを内部に有する装着ベルトの第２部分２０を第１部分１０に離脱可能に接続するという選択肢を提供し、バランスボディを内部に有する凹部を囲む。挿入凹部は装着ベルトの第１部分１０に強固に接続され、フレームの挿入部分がそこにしっかり囲い込まれるようにある程度まで伸縮可能である布地のスリーブ又はポケットによってここに形成される。そのように形成された装着ベルトのアセンブリの安定性は、バランスボディから延びて装着ベルト上の対応する貼り付けパッド１７に受入れられる一組の締め付けストリップ４７によってさらに高められる。これらの締め付け手段にベルクロ（登録商標）又はフックとループとのテープのストリップが有利に使用される。さらに、装着ベルトは、人に装着ベルトをさらに固定する胸部ストラップ１９を有し、両者はそのままで１つの統一体を形成する。
【００２５】
一度組立てられると、その中にバランスボディ４０を有して形成された装着ベルトは、使用者の背中に装着でき、使用者は例えば正規（最高レベル）のスポーツの練習やリハビリテーションのトレーニングに対して、手が開放される。装着ベルトを備えることによって、使用者はバランスボディが自身の体の一体的な延長部であると気付くであろう。装置は特にここでは職業的運動家によって使用され、激しいパフォーマンスを生み出し、機能的な強度を増大し、学習能力を最大限に活用する。物理療法士はこの装置を修復過程の期間において変化と干渉を増大するために使用し、それによって、衰えた箇所が直ちに容易に明らかになる。
【００２６】
この発明は単一の代表的な実施形態に基づいてさらに上述したが、この発明がこれに限定されないことは明らかである。反対に、多くの変形や実施形態が、当業者にとって発明の範囲内で、なお可能である。
【図１】
2019534065.tif 000003
【図２】
2019534065.tif 000004
【図３】
2019534065.tif 000005
【図４】
2019534065.tif 000006
【図５】
2019534065.tif 000007
【図６】
2019534065.tif 000008
【図７】
2019534065.tif 000009
【国際調査報告】
2019534065.tif 000010
2019534065.tif 000011
2019534065.tif 000012